【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
複製システムのホログラフィックディスクにデータを記録する方法であって、
前記ホログラフィックディスクを回転させるステップと、
前記ホログラフィックディスクの参照トラックを目標データ位置で追跡して移動測定値を決定するステップと、
前記移動測定値に基づいて前記ホログラフィックディスクの第１の表面の上で第１の光ヘッドを作動させるステップと、
前記ホログラフィックディスクの前記目標データ位置に向けて前記第１の光ヘッドからの第１のビームを合焦するステップと、
前記第１のビームと反対方向に伝搬し重なり合うように第２の光ヘッドからの第２のビームを合焦して前記ホログラフィックディスクの前記目標データ位置にデータを記録するステップと、
前記第１のビームと前記第２のビームとの間の重なり合いの位置合わせ不良を決定するステップと、
前記重なり合いの位置合わせ不良に基づいて前記ホログラフィックディスクの第２の表面の上で前記第２の光ヘッドを作動させるステップであり、前記第２の表面が前記第１の表面の反対側である、ステップと
を含む、方法。
【請求項２】
前記ホログラフィックディスクの前記参照トラックを追跡するステップが、
前記第１の光ヘッドから前記ホログラフィックディスクの前記参照トラックにトラッキングビームを合焦するステップと、
前記参照トラックからの前記トラッキングビームの反射を検出して前記移動測定値を決定するステップと
を含む、請求項１記載の方法。
【請求項３】
前記重なり合いの位置合わせ不良を決定するステップが、前記複製システムの４象限検出器によって測定される前記ホログラフィックディスクを通る前記第１のビームまたは前記第２のビームの伝送に基づく、請求項１記載の方法。
【請求項４】
前記移動測定値が合焦誤りおよびトラッキング誤りの１つまたは複数を含む、請求項１記載の方法。
【請求項５】
前記移動測定値が、前記複製システムのスピンドルを軸とした前記ホログラフィックディスクのウォブリング、予定位置に対する前記ホログラフィックディスクのティルト、および前記ホログラフィックディスクの不完全性の１つまたは複数に由来する、請求項１記載の方法。
【請求項６】
前記移動測定値を前記複製システムのサーボ機械システムに伝達するステップを含む、請求項１記載の方法。
【請求項７】
前記ホログラフィックディスクの前記第１の表面の上で前記第１の光ヘッドを作動させるステップが、前記ホログラフィックディスクの前記表面に対して半径方向および軸方向の１つまたは複数に前記第１の光ヘッドのレンズを平行移動するステップを含む、請求項１記載の方法。
【請求項８】
前記目標データ位置が、データを記録するための前記ホログラフィックディスクのデータ層にデータトラックを含む、請求項１記載の方法。
【請求項９】
第２の組の光学構成要素を調整するステップが前記移動測定値にさらに基づく、請求項１記載の方法。
【請求項１０】
前記ホログラフィックディスクの前記第２の表面の上で前記第２の光ヘッドを作動させるステップが、前記ホログラフィックディスクの前記表面に対して半径方向、軸方向、および接線方向の１つまたは複数に前記第２の光ヘッドのレンズを平行移動するステップを含む、請求項１記載の方法。
【請求項１１】
前記ホログラフィックディスクの前記表面に対して接線方向に前記複製システムの光学要素を調整して、前記第２のビームの伝送に作用するステップを含む、請求項１記載の方法。
【請求項１２】
前記光学要素がガルバノミラーを含む、請求項１１記載の方法。
【請求項１３】
前記第２のビームが、前記ホログラフィックディスクに記録されるべき符号、アドレス、トラッキングデータ、補助情報、および他のデータの１つまたは複数を含む、請求項１記載の方法。
【請求項１４】
ホログラフィックディスクにマイクロホログラムを記録するためのシステムであって、
前記ホログラフィックディスクの第１の側に対して軸方向および半径方向の１つまたは複数に第１の光ヘッドを作動させるように構成された第１のアクチュエータと、
前記ホログラフィックディスクの第２の側に対して軸方向、半径方向、および接線方向の１つまたは複数に第２の光ヘッドを作動させるように構成された第２のアクチュエータであり、前記第２のアクチュエータによる前記第２の光ヘッドの作動が前記第１のアクチュエータによる前記第１の光ヘッドの作動に基づく、第２のアクチュエータと
を備えるサーボ機械システムを具備し、
前記第１の光ヘッドが前記ホログラフィックディスクの前記第１の側から目標データ位置に第１のビームを合焦するように構成され、
前記第１の光ヘッドが前記ホログラフィックディスクの前記目標データ位置に参照トラックのトラッキングビームを合焦するように構成され、
前記第２の光ヘッドが前記ホログラフィックディスクの前記第２の側から前記目標データ位置で前記第１のビームと干渉するように第２のビームを合焦するように構成され、前記第２の側が前記第１の側の反対側である、システム。
【請求項１５】
前記サーボ機械システムが、接線方向および半径方向の１つまたは複数で前記第２のビームの合焦に作用するミラーを作動させるように構成された第３のアクチュエータを含む、請求項１４記載のシステム。
【請求項１６】
前記第１のアクチュエータ、前記第２のアクチュエータ、および前記第３のアクチュエータが各々前記第１のアクチュエータ、前記第２のアクチュエータ、および前記第３のアクチュエータの作動を制御するように構成された１つまたは複数のコントローラに結合される、請求項１５記載のシステム。
【請求項１７】
前記参照トラックからの前記トラッキングビームの反射が前記ホログラフィックディスクの前記第１のビームの衝突を示す、請求項１４記載のシステム。
【請求項１８】
前記ホログラフィックディスクの前記第１のビームの合焦位置と前記ホログラフィックディスクのデータ記録のための予定位置との間の逸脱に対応する第１の組の誤り信号を生成するように前記トラッキングビームの反射を検出するように構成された第１の４象限検出器を含み、前記第１のアクチュエータが前記第１の組の誤り信号に基づいて前記第１の光ヘッドを作動させるように構成される、請求項１７記載のシステム。
【請求項１９】
前記第１のビームの前記合焦位置と前記第２のビームの合焦位置との間の位置合わせ不良に対応する第２の組の誤り信号を生成するように前記第１のビームおよび前記第２のビームの１つまたは複数の伝送を検出するように構成された第２の４象限検出器を含み、前記第２のアクチュエータが前記第２の組の誤り信号に基づいて前記第２の光ヘッドを作動させるようにさらに構成される、請求項１４記載のシステム。
【請求項２０】
ホログラフィックディスクを事前フォーマットするためのシステムであって、
前記ホログラフィックディスクの目標データ位置に第１のビームを合焦し、
反射が前記データ位置への前記第１のビームの合焦を示すトラッキングビームを前記目標データ位置で前記ホログラフィックディスクの参照トラックに合焦し、
前記参照トラックからの前記トラッキングビームの前記反射を受け取る
ように構成された第１の光ヘッドと、
前記目標データ位置で前記第１のビームと重なり合い干渉するように第２のビームを合焦するように構成された第２の光ヘッドであり、前記第２のビームが前記第１のビームと反対方向に伝搬している、第２の光ヘッドと、
前記トラッキングビームの前記反射に基づいて前記第１の光ヘッドの光学構成要素を作動させるように構成された第１のサーボ機械システムと、
前記ホログラフィックディスクを通る前記第１のビームおよび前記第２のビームの１つまたは複数の伝送に基づいて前記第２の光ヘッドの光学構成要素を作動させるように構成された第２のサーボ機械システムと
を備える、システム。
【請求項２１】
前記第１のサーボ機械システムが、前記ホログラフィックディスクのデータ層平面に対して半径方向および軸方向の１つまたは複数に前記第１の光ヘッドの対物レンズを作動させるように構成される、請求項２０記載のシステム。
【請求項２２】
前記第２のサーボ機械システムが、前記ホログラフィックディスクのデータ層平面に対して半径方向、軸方向、および接線方向の１つまたは複数に前記第２の光ヘッドの対物レンズを作動させるように構成される、請求項２０記載のシステム。
【請求項２３】
前記ホログラフィックディスクのデータ層平面に対して接線方向および半径方向の１つまたは複数に前記第２のビームの合焦を変更するようにガルバノミラーを作動させるように構成された第３のサーボ機械システムを含む、請求項２０記載のシステム。
【請求項２４】
前記第１の光ヘッドおよび前記第２の光ヘッドの前記光学構成要素の作動が、前記システムに対して半径方向および接線方向の１つまたは複数に前記光学構成要素をティルティングすることを含む、請求項２０記載のシステム。
【請求項２５】
前記ホログラフィックディスクの前記第１のビームの合焦位置の合焦誤りおよびトラッキング誤りの１つまたは複数に対応する第１の組の誤り信号を生成するように前記トラッキングビームの前記反射を検出するように構成された第１の検出器を含む、
請求項２０記載のシステム。
【請求項２６】
前記第１の検出器が動的に動作し、前記第１の組の誤り信号を前記第１のサーボ機械システムに連続的に伝送し、前記第１のサーボ機械システムが前記第１の組の誤り信号に基づいて前記第１の光ヘッドの光学構成要素を動的に作動させる、請求項２５記載のシステム。
【請求項２７】
前記ホログラフィックディスクの前記第１のビームの前記合焦と前記第２のビームの前記合焦との間の位置合わせ不良に対応する第２の組の誤り信号を生成するように前記ホログラフィックディスクを通る前記第１のビームの伝送または前記第２のビームの伝送を検出するように構成された第２の検出器を含む、請求項２０記載のシステム。
【請求項２８】
前記第２の検出器が動的に動作し、前記第２の組の誤り信号を前記第２のサーボ機械システムに連続的に伝送し、前記第２のサーボ機械システムが前記第２の組の誤り信号に基づいて前記第２の光ヘッドの光学構成要素を動的に作動させる、請求項２７記載のシステム。
【請求項２９】
ホログラフィックディスクの予定データ位置からの第１のビームの合焦位置の第１の変位を検出するステップであって、前記予定データ位置における参照トラックからの追跡ビームの反射が、前記第１のビームの前記合焦を示す、前記ステップと、
前記第１の変位を示す第１の組の誤り信号を生成するステップと、
前記検出された第１の変位を補償するように、前記第１の組の誤り信号に基づいて前記ホログラフィックディスクに対して半径方向および軸方向の１つまたは複数に第１の光学システムの第１の光学構成要素を作動させるステップと、
ホログラフィックディスクの第２のビームの合焦位置と前記第１のビームの前記合焦位置との間の位置合わせ不良を検出するステップと、
前記位置合わせ不良に基づいて第２の組の誤り信号を生成するステップと、
前記検出された位置合わせ不良を補償するように、前記第２の組の誤り信号に基づいて前記ホログラフィックディスクに対して半径方向、軸方向、および接線方向の１つまたは複数に第２の光学システムの第２の光学構成要素を作動させるステップと
を含む方法。
【請求項３０】
目標データ位置の変位を検出するステップが、
ホログラフィック記録システムに対してディスクティルト、ディスク運動、およびディスク不完全性の１つまたは複数を検出するステップと、
前記検出されたディスクティルト、ディスク運動、またはディスク不完全性に基づいて前記変位を予測するステップと
を含む、請求項２９記載の方法。
【請求項３１】
誤り信号が、トラッキング誤り信号、合焦誤り信号、およびティルト誤り信号の１つまたは複数を含む、請求項２９記載の方法。
【請求項３２】
前記第１の光学構成要素が１つまたは複数のレンズを含む、請求項２９記載の方法。
【請求項３３】
前記第２の光学構成要素が１つまたは複数のレンズおよびガルボミラーを含む、請求項２９記載の方法。
【請求項３４】
前記第１の光学構成要素を作動させるステップが１つまたは複数のレンズをティルティングおよび平行移動させるステップの少なくとも一方を含む、請求項２９記載の方法。
【請求項３５】
前記第２の光学構成要素を作動させるステップが１つまたは複数のレンズおよびミラーをティルティング、平行移動、および回転させるステップの少なくとも１つを含む、請求項２９記載の方法。
【請求項３６】
前記検出された変位を補償するステップは、記光学構成要素から放出されたビームが前記目標データ位置に位置合わせされるように光学構成要素を平行移動およびティルティングさせるステップの１つまたは複数を含む、請求項２９記載の方法。